(57)【要約】【課題】適正な色再現できる色再現装置及びインクジェット記録装置並びに色変換テーブルの提供。【解決手段】入力デジタル値を色変換テーブルを用いて色変換して入力デジタル値の表色系と異なる表色系の出力値を得て適正な色再現を行う色再現装置において、標準の表色系の色変換テーブルを予め複数記憶する記憶手段と、出力側の表色系の色を取得する出力色取得手段と、取得した色が標準の表色系であるか否かを判断する判断手段と、標準の表色系であると判断された場合に当該表色系に対応する色変換テーブルを選択する選択手段と、標準の表色系でないと判断された場合に複数の色変換テーブルから取得した色の組み合わせに対応する色変換テーブルを作成する色変換テーブル作成手段と、選択された色変換テーブル又は作成された色変換テーブルを色変換を行う際に用いる色変換テーブルとして決定する色変換テーブル決定手段とを有する色再現装置。【選択図】        図２
2005136752.tif 000002
【特許請求の範囲】
【請求項１】
入力デジタル値を色変換テーブルを用いて色変換して当該入力デジタル値の表色系と異なる表色系の出力値を得て、入力されたデジタル値の表色系と異なる表色系で適正な色再現を行う色再現装置において、
出力側の標準の表色系に対応する色変換テーブルを予め複数記憶する記憶手段と、
出力側の表色系の色を取得する出力色取得手段と、
前記出力色取得手段において取得した色が標準の表色系であるか否かを判断する判断手段と、
前記判断手段において標準の表色系であると判断された場合に、当該表色系に対応する色変換テーブルを前記記憶手段において選択する選択手段と、  
前記判断手段において標準の表色系でないと判断された場合に、前記記憶手段に記憶された複数の色変換テーブルに基づいて前記出力色取得手段で取得した色の組み合わせに対応する色変換テーブルを作成する色変換テーブル作成手段と、  
前記選択手段により選択された色変換テーブル又は前記色変換テーブル作成手段により作成された色変換テーブルを色変換を行う際に用いる色変換テーブルとして決定する色変換テーブル決定手段とを有することを特徴とする色再現装置。
【請求項２】
前記色変換テーブル作成手段は、前記記憶手段に記憶された色変換テーブルから前記出力色取得手段で取得した出力色毎に色変換テーブルを抽出し、抽出した出力色毎の色変換テーブルを合成することによって色変換テーブルを作成することを特徴とする請求項１記載の色再現装置。
【請求項３】
前記出力色毎の色変換テーブルは互いに連結領域を介して連結されることによって合成されることを特徴とする請求項２記載の色再現装置。
【請求項４】
請求項１乃至３に記載の色再現装置を用いて色変換された出力値に基づいて記録媒体に吐出するインク色を決定することを特徴とするインクジェット記録装置。
【請求項５】
前記記録媒体は布であることを特徴とする請求項４記載のインクジェット記録装置。
【請求項６】
入力されたデジタル値の表色系と異なる表色系においても適正な色再現を可能とするべく、入力デジタル値を色変換して当該入力デジタル値の表色系と異なる表色系の出力値を得る際に用いられる色変換テーブルを作成する方法であって、
出力側の標準の表色系に対応する色変換テーブルを予め複数記憶する記憶工程と、
出力側の表色系の色を取得する出力色取得工程と、
前記出力色取得工程において取得した色が標準の表色系であるか否かを判断する判断工程と、
前記判断工程において標準の表色系であると判断された場合に、当該表色系に対応する色変換テーブルを前記記憶工程において選択する選択工程と、  
前記判断工程において標準の表色系でないと判断された場合に、前記記憶工程に記憶された複数の色変換テーブルに基づいて前記出力色取得工程で取得した色の組み合わせに対応する色変換テーブルを作成する色変換テーブル作成工程と、  
前記選択工程により選択された色変換テーブル又は前記色変換テーブル作成工程により作成された色変換テーブルを色変換を行う際に用いる色変換テーブルとして決定する色変換テーブル決定工程とを有することを特徴とする色変換テーブルの決定方法。
【請求項７】
前記色変換テーブル作成工程は、前記記憶工程において記憶された色変換テーブルから前記出力色取得工程で取得した出力色毎に色変換テーブルを抽出し、抽出した出力色毎の色変換テーブルを合成することによって色変換テーブルを作成することを特徴とする請求項６記載の色変換テーブルの決定方法。
【請求項８】
前記出力色毎の色変換テーブルは互いに連結領域を介して連結されることによって合成されることを特徴とする請求項７記載の色変換テーブルの決定方法。
【発明の詳細な説明】
【技術分野】
【０００１】
本発明は、色再現装置及びインクジェット記録装置並びに色変換テーブルの決定方法に関し、詳しくは入力されたデジタル値の表色系と異なる表色系においても適正な色再現を可能とする色再現装置及びインクジェット記録装置並びに色変換テーブルの決定方法に関する。
【背景技術】
【０００２】
近年、テレビ、パソコン、プリンタ、ＦＡＸ、スキャナ等の画像再現可能なデジタル機器において、カラー画像の処理が普及してきている。このようなデジタル機器は相互に接続され、機器間でのデータのやりとりを可能としている。カラー画像処理は、例えば、スキャナで読み込んだカラー画像をパソコンに送って画像処理を行った後、更にプリンタに送ってカラープリントすることがある。
【０００３】
このような、例えばパソコンとプリンタというように２種以上のデジタル機器を接続して処理を行う場合、カラー画像の色を特定するための要素が異なる。例えば、パソコンではモニター表示を行うためにＲＧＢの３色混合によりカラー画像再現しており、プリンタではインク出力を行うためにＹＭＣＫの４色混合によりカラー画像の再現を行うことがある。このようなプリンタにおいてパソコンで生成された画像信号に基づいてカラー画像の再現を行うためには、ＲＧＢの値によって再現される色と同じ色を再現するＹＭＣＫの値に変換し、プリンタにおいて変換されたＹＭＣＫの値に基づいてプリントを行う。このとき行う変換は色変換といい、例えば色変換テーブルを用いた方法がある。
【０００４】
色変換において用いられる色変換テーブルを作成する方法の一例は、例えば、まず、予め様々にＹＭＣＫの値の条件を変更しながらインクによる記録を行い、記録された色を測定し、ＹＭＣＫの値の条件と記録された色の測定値との相関関係を求める。このようにして求めた相関関係から、ＹＭＣＫの値に対応する色の測定値と同色となるＲＧＢの値とを求めることによって、ＹＭＣＫの値に対応するＲＧＢの値の相関関係を求めることができる。このように色変換テーブルを作成する為には、予め様々な値による出力と測定を繰り返さなければならず、大変な作業であった。特に布にプリントするプリンタにおいては、記録した後、熱処理を行ってから色を定着させて測定するというようなプロセスを経なければならない。
【０００５】
従って、プリンタに搭載するインク色は色変換テーブルが対応する色の組み合わせしか許容されず、プリンタによって使用可能なインク色の組み合わせの制限があった。
【特許文献１】特開平１１―１２７３５９
【発明の開示】
【発明が解決しようとする課題】
【０００６】
そこで本発明の課題は、適正な色再現が可能となる色再現装置及びインクジェット記録装置並びに色変換テーブルを提供することにある。
【課題を解決するための手段】
【０００７】
上記課題は、以下の各発明によって解決される。
【０００８】
（請求項１）入力デジタル値を色変換テーブルを用いて色変換して当該入力デジタル値の表色系と異なる表色系の出力値を得て、入力されたデジタル値の表色系と異なる表色系で適正な色再現を行う色再現装置において、出力側の標準の表色系に対応する色変換テーブルを予め複数記憶する記憶手段と、出力側の表色系の色を取得する出力色取得手段と、前記出力色取得手段において取得した色が標準の表色系であるか否かを判断する判断手段と、前記判断手段において標準の表色系であると判断された場合に、当該表色系に対応する色変換テーブルを前記記憶手段において選択する選択手段と、前記判断手段において標準の表色系でないと判断された場合に、前記記憶手段に記憶された複数の色変換テーブルに基づいて前記出力色取得手段で取得した色の組み合わせに対応する色変換テーブルを作成する色変換テーブル作成手段と、前記選択手段により選択された色変換テーブル又は前記色変換テーブル作成手段により作成された色変換テーブルを色変換を行う際に用いる色変換テーブルとして決定する色変換テーブル決定手段とを有することを特徴とする色再現装置。
【０００９】
（請求項２）前記色変換テーブル作成手段は、前記記憶手段に記憶された色変換テーブルから前記出力色取得手段で取得した出力色毎に色変換テーブルを抽出し、抽出した出力色毎の色変換テーブルを合成することによって色変換テーブルを作成することを特徴とする請求項１記載の色再現装置。
【００１０】
（請求項３）前記出力色毎の色変換テーブルは互いに連結領域を介して連結されることによって合成されることを特徴とする請求項２記載の色再現装置。
【００１１】
（請求項４）請求項１乃至３に記載の色再現装置を用いて色変換された出力値に基づいて記録媒体に吐出するインク色を決定することを特徴とするインクジェット記録装置。
【００１２】
（請求項５）前記記録媒体は布であることを特徴とする請求項４記載のインクジェット記録装置。
【００１３】
（請求項６）入力されたデジタル値の表色系と異なる表色系においても適正な色再現を可能とするべく、入力デジタル値を色変換して当該入力デジタル値の表色系と異なる表色系の出力値を得る際に用いられる色変換テーブルを作成する方法であって、出力側の標準の表色系に対応する色変換テーブルを予め複数記憶する記憶工程と、出力側の表色系の色を取得する出力色取得工程と、前記出力色取得工程において取得した色が標準の表色系であるか否かを判断する判断工程と、前記判断工程において標準の表色系であると判断された場合に、当該表色系に対応する色変換テーブルを前記記憶工程において選択する選択工程と、前記判断工程において標準の表色系でないと判断された場合に、前記記憶工程に記憶された複数の色変換テーブルに基づいて前記出力色取得工程で取得した色の組み合わせに対応する色変換テーブルを作成する色変換テーブル作成工程と、前記選択工程により選択された色変換テーブル又は前記色変換テーブル作成工程により作成された色変換テーブルを色変換を行う際に用いる色変換テーブルとして決定する色変換テーブル決定工程とを有することを特徴とする色変換テーブルの決定方法。
【００１４】
（請求項７）前記色変換テーブル作成工程は、前記記憶工程において記憶された色変換テーブルから前記出力色取得工程で取得した出力色毎に色変換テーブルを抽出し、抽出した出力色毎の色変換テーブルを合成することによって色変換テーブルを作成することを特徴とする請求項６記載の色変換テーブルの決定方法。
【００１５】
（請求項８）前記出力色毎の色変換テーブルは互いに連結領域を介して連結されることによって合成されることを特徴とする請求項７記載の色変換テーブルの決定方法。
【発明の効果】
【００１６】
本発明の色再現装置及び色変換テーブルの決定方法によれば、適正な色再現が可能となる。
【００１７】
また、本発明のインクジェット記録装置によれば、色変換テーブルが予め用意されたインク色の組み合わせ以外のインクが搭載されても、予め記録及び測定をすることなく、そのインク色の組み合わせに応じた色変換テーブルが容易に作成できるので、搭載するインク色の組み合わせの制限がなく、任意の組み合わせのインク色を搭載することができ、ユーザの利便性の向上が図れる。
【００１８】
更に、布に記録を行う記録装置において、大変であった新たな色変換テーブルの作成も既存の色変換テーブルに基づいて容易に作成できる。
【発明を実施するための最良の形態】
【００１９】
以下、本発明の実施の形態について図面を参照して説明する。
【００２０】
本発明の色再現装置は、入力された画像データのデジタル値に基づいて出力値を得てカラー画像を再現することができる装置であり、例えば、インクジェット記録装置を含むプリンタ、パソコン、ＦＡＸ等の装置において色再現処理を行う装置として組み込まれている。本発明の色再現装置は、インクジェット記録装置内の色再現装置として用いられると、装置に搭載するインク色の組み合わせの制限がなく、任意の組み合わせのインク色を搭載でき、ユーザの利便性の向上が図れる点で好ましい。本発明の色再現装置がインクジェット記録装置内の色再現装置として用いられた場合を例に挙げて図１〜図１１に基づいて以下詳細に説明する。
【００２１】
図１は、本発明の色変換テーブルの決定方法を実施するための色再現装置が用いられるインクジェット記録装置の要部の一例を示すブロック図であり、図２は図１の画像制御手段の一例を示す機能ブロック図である。
【００２２】
図１において、本発明にかかるインクジェット記録装置は、画像入力部１００を介して外部機器から入力された画像データは、画像制御手段２００において色変換テーブルにより色変換され適正な出力値を生成し、該出力値に基づいてヘッド３００を駆動して複数色のインクによる記録を行う。このとき、画像制御手段２００はインク色取得部４００によりインク供給部５００に搭載されたインクの色を検出して色変換を行う際に用いる色変換テーブルを決定することができる点に特徴がある。インク色取得部４００は、インク供給部５００に予め付与されたインクの色に関する情報を検出して搭載されたインクの色を取得する態様と、ユーザの入力によって搭載されたインクの色を取得する態様がある。
【００２３】
図２は、インクジェット記録装置に用いられる画像制御手段の一例の機能ブロック図である。
【００２４】
図２において、画像制御手段２００は、画像データ等の入力を行うための入力部２０１と、画像制御手段２００全体の制御を行うメイン制御部２０２と、画像データやプログラム等を記憶する主記憶部２０３と、インク色を取得する処理を行うインク色取得処理部２０４と、インク色の組み合わせが所定の組み合わせかを判断する組み合わせ判断処理部２０５と、必要に応じてインクの組み合わせに対応する色変換テーブルを選択する選択処理部２０６と、必要に応じて色変換テーブルを作成する色変換テーブル作成部２０７と、色変換時に利用する色変換テーブルを決定する色変換テーブル決定処理部２０８と、各種出力を行うための出力部２０９とを備えている。
【００２５】
図３は、本発明の色変換テーブルの決定方法を実施するための色再現装置の一例であるインクジェット記録装置における色変換テーブルを決定する際の処理流れの一例を示す図である。
【００２６】
図３に示す処理に先立って、本発明の色再現装置の一例であるインクジェット記録装置においては、標準のインク色の組み合わせに対して適正な色変換が可能な色変換テーブルを主記憶部２０３に予め記憶しておく。例えば、図４及び図５で示される色変換テーブルを予め記憶しておく。図４において、第１の色変換テーブルは、「Ｂｌａｃｋ、ＬｉｇｈｔＢｌａｃｋ」、「Ｙｅｌｌｏｗ、ＬｉｇｈｔＹｅｌｌｏｗ」、「Ｍａｇｅｎｔａ、ＬｉｇｈｔＭａｇｅｎｔａ」、「Ｃｙａｎ、ＬｉｇｈｔＣｙａｎ」の色の組み合わせに、第２の色変換テーブルは、「Ｂｌａｃｋ、ＬｉｇｈｔＢｌａｃｋ」、「Ｙｅｌｌｏｗ」、「Ｍａｇｅｎｔａ」、「Ｃｙａｎ」、「Ｂｌｕｅ」、「Ｇｒｅｅｎ」、「Ｒｅｄ」の色の組み合わせに、第３の色変換テーブルは、「Ｂｌａｃｋ、ＬｉｇｈｔＢｌａｃｋ」、「Ｙｅｌｌｏｗ」、「Ｍａｇｅｎｔａ」、「Ｃｙａｎ」、「Ｖｉｏｌｅｔ」、「Ｏｒａｎｇｅ」、「Ｒｅｄ」の色の組み合わせにそれぞれ対応した色変換テーブルであること、即ち、各色の組み合わせを標準のインク色の組み合わせとする。
【００２７】
色変換テーブルは、概念的には図５に示すように入力デジタル値がＲＧＢの３色相である場合は、該ＲＧＢ３色相の０〜２５５の値に対応する３次元座標軸Ｒ軸、Ｇ軸、Ｂ軸を有する立方体として表現できる。かかる色変換テーブル１の入力デジタル値Ｒ、Ｇ、Ｂの値で表現される座標位置（Ｒ、Ｇ、Ｂ）には対応する出力値（Ｙ、Ｍ、Ｃ、Ｋ、Ｂ、Ｇ、Ｒ）がプロットされている。この出力値の具体的な値が色変換テーブル毎に異なる。例えば、第１の色変換テーブルには、Ｂ、Ｇ、Ｒのインク色に対応していないので、出力値はそれぞれの座標についてＹ、Ｍ、Ｃ、Ｋの値が異なる（Ｙ、Ｍ、Ｃ、Ｋ、０、０、０）との値がプロットされており、第２の色変換テーブルでは、Ｙ、Ｍ、Ｃ、Ｋ、Ｂ、Ｇ、Ｒのインク色に全て対応しているので、出力値はそれぞれの座標についてＹ、Ｍ、Ｃ、Ｋ、Ｂ、Ｇ、Ｒの値が異なる（Ｙ、Ｍ、Ｃ、Ｋ、Ｂ、Ｇ、Ｒ）との値がプロットされている。このような色変換テーブルは、例えば、特開平０２−２２６８６９号公報に記載のルックアップテーブルと同様にして作成することができる。
【００２８】
図３において、まず、インク供給部５００から供給されるインクの色の情報を取得する（Ｓ１）。
【００２９】
Ｓ１の処理は、出力側の表色系の色であるインク色の情報を取得する処理である。
【００３０】
インクの色の情報の取得は、インク色取得処理部２０４の制御に基づいてインク色取得部４００が行う。インク色取得部４００におけるインクの色の情報の取得は、インク供給部５００に付与されたインク色を示す情報を検出する態様と、ユーザの入力による態様とがある。
【００３１】
検出による態様の場合、インク供給部５００は、タンクやカートリッジ等によって構成され、各インクタンク又はカートリッジには内在するインク色を示す情報がバーコード等の形態又は物理的な形態で付与されていることが好ましい。この場合、インク色取得部４００は、インク供給部５００に付与されたインク色を示す情報を検出して搭載されたインクの色の情報を取得することができるセンサであることが好ましい。センサの態様は、例えば反射式の光学センサや、接触式センサ等とすることができるが、その形態は限定されない。
【００３２】
また、ユーザの入力による態様の場合、インク色取得部４００は、ユーザの入力を受け付けて搭載されたインクの色の情報を取得することができるタッチパネル等の入力装置を用いることができる。
【００３３】
例えば、「Ｂｌａｃｋ、ＬｉｇｈｔＢｌａｃｋ」、「Ｙｅｌｌｏｗ」、「Ｍａｇｅｎｔａ、ＬｉｇｈｔＭａｇｅｎｔａ」、「Ｃｙａｎ、ＬｉｇｈｔＣｙａｎ」、「Ｂｌｕｅ」、「Ｏｒａｎｇｅ」の濃淡を含む６色相のインク色であるとの情報が取得される。
【００３４】
搭載されたインクのインク色の情報が取得されると、当該インク色の情報にかかるインク色の組み合わせが標準の組み合わせであるか否かが判断される（Ｓ２）。
【００３５】
標準の組み合わせであるか否かの判断は、組み合わせ判断処理部２０５により、Ｓ１で取得した色の組み合わせが標準の組み合わせと同一であるか否かを比較して判断する。
【００３６】
例えば、予め図４に示す３つの色変換テーブルが記憶されている場合に、Ｓ１で前記の９色であるとのインク色の情報が取得された場合は、標準の組み合わせと同一でないと判断され、後述するＳ４の処理を行う。
【００３７】
一方、Ｓ２で標準の組み合わせであると判断された場合は、同一とされた標準の色の組み合わせにかかる色変換テーブルが選択処理部２０６により選択される（Ｓ３）。
【００３８】
Ｓ２の処理において標準の組み合わせでないと判断された場合は、色変換テーブル作成処理部２０７により色変換テーブルが作成される（Ｓ４）。
【００３９】
色変換テーブルの作成は、予め記憶された色変換テーブルに基づいてインク色取得処理部２０４において取得されたインク色に対応する色変換テーブルを色変換テーブル作成処理部２０７により作成する。具体的には、予め記憶された色変換テーブルから取得したインク色毎に対応する部分を抽出し、抽出したインク色毎の色変換テーブルを合成する。色変換テーブル同士の合成は、互いに連結領域を介して連結し、最終的には、図５に示す色変換テーブル１と同じ形状とすることによって行われる。
【００４０】
インク色毎に対応する部分の色変換テーブルを抽出する方法は、当該インク色に対応する色変換テーブルから、当該インク色に対応する部分を抽出する。
【００４１】
例えば、予め記憶された色変換テーブルが図４に示す色変換テーブルである場合に、Ｓ１で取得されたインク色「Ｂｌａｃｋ、ＬｉｇｈｔＢｌａｃｋ」、「Ｙｅｌｌｏｗ」、「Ｍａｇｅｎｔａ、ＬｉｇｈｔＭａｇｅｎｔａ」、「Ｃｙａｎ、ＬｉｇｈｔＣｙａｎ」、「Ｂｌｕｅ」、「Ｏｒａｎｇｅ」の各色について図６乃至図１１に示すように色変換テーブルの抽出を行なう。
【００４２】
「Ｂｌａｃｋ、ＬｉｇｈｔＢｌａｃｋ」のインク色に関しては、図４に示す第１の色変換テーブル乃至第３の色変換テーブルの何れにも対応するインク色として挙げられているので、図６に示すように、第１乃至第３の何れかの色変換テーブル１の３次元座標軸の原点付近であるＢｌａｃｋ近傍の領域の色変換テーブル１０ａを抽出する。同様に「Ｙｅｌｌｏｗ」のインク色に関しても、図７に示すように第１乃至第３の色変換テーブルの何れかの色変換テーブル１からＹｅｌｌｏｗ近傍の領域の色変換テーブル１０ｂを抽出する。
【００４３】
また、「Ｍａｇｅｎｔａ，ＬｉｇｈｔＭａｇｅｎｔａ」及び「Ｃｙａｎ、ＬｉｇｈｔＣｙａｎ」のインク色については、図４に示す第１の色変換テーブルに対応するインク色として挙げられているので、図８及び図９に示すように第１の色変換テーブルからそれぞれ「Ｍａｇｅｎｔａ，ＬｉｇｈｔＭａｇｅｎｔａ」及び「Ｃｙａｎ、ＬｉｇｈｔＣｙａｎ」に対応する領域の色変換テーブル１０ｃ、１０ｄを抽出する。
【００４４】
また、「Ｂｌｕｅ」のインク色については、図４に示す第２の色変換テーブルに対応するインク色としてあげられているので、図１０に示すように第２の色変換テーブルから「Ｂｌｕｅ」に対応する領域の色変換テーブル１０ｅを抽出し、「Ｏｒａｎｇｅ」のインク色については、図４に示す第３の色変換テーブルに対応するインク色としてあげられているので、図１１に示すように第３の色変換テーブルから「Ｏｒａｎｇｅ」に対応する領域の色変換テーブル１０ｆを抽出する。このように、ＢｌａｃｋとＬｉｇｈｔＢｌａｃｋのように同じ色相の場合は、濃淡合わせて１つの色変換テーブルを抽出しても良い。また、この色変換テーブルの抽出領域は、各インク色の色変換テーブルが交わらないように抽出される。
【００４５】
これら複数の抽出したインク色毎の色変換テーブルを合成することによって、最終的には図５に示すような色変換テーブルを作成する。これら複数の抽出した色変換テーブルで図５に示す色変換テーブルを作成する際、抽出した色変換テーブルが存在しない部分は連結領域とされる。従って、複数の抽出した色変換テーブルと連結領域とによって図５に示すような色変換テーブルとなるように作成する。
【００４６】
連結領域は、図５に示すような色変換テーブル内において、それぞれ６つの面で囲まれた直方体に分割されて示される。従って、連結領域は直方体の各面又は各辺の何れかにおいて各抽出した色変換テーブルと接している。連結領域における抽出した色変換テーブルと接していない面又は辺は、図５に示すような作成後の色変換テーブルの面又は辺となる。連結領域は、その面上又は辺上とその内部空間に色変換するための複数の座標データを有する。かかる連結領域において、抽出した色変換テーブルと接触する面上又は辺上の座標データ（例えば、Ｂｌａｃｋ、Ｙｅｌｌｏｗ、Ｍａｇｅｎｔａ、Ｃｙａｎ）は、当該接する面上又は辺上の抽出した色変換テーブルの座標データと同一の座標データとされる。抽出した色変換テーブルと接する面又は辺以外（内部空間を含む）の座標データは、抽出した色変換テーブルと接していない面上又は辺上の座標データを０と設定した後、スムージング処理を施すことによって求めることが好ましい。
【００４７】
スムージング処理とは、スムージング処理の対象となる座標データをＤ０とし、該座標データＤ０の座標と上下左右前後において隣接する最大６つの座標の座標データがＤ１、Ｄ２、Ｄ３、Ｄ４、Ｄ５、Ｄ６であるとき、これら７つの座標データＤ０、Ｄ１、Ｄ２、Ｄ３、Ｄ４、Ｄ５、Ｄ６について平均値を算出し、該算出した平均値をスムージングの対象となる座標データとすることによって行われる。かかるスムージング処理は、同じ座標について、５回以上行うことが、隣接する座標データの値同士のつながりが滑らかとなるので好ましい。
【００４８】
このように、連結領域において、抽出した色変換テーブルと接触する面上及び接触する辺上における座標データは変わらずに、抽出した各色変換テーブルとの滑らかな連結ができ、図５に示すような色変換テーブルを作成することができる。
【００４９】
Ｓ３において選択された色変換テーブル又はＳ４において作成された色変換テーブルは、色変換テーブル決定処理部２０８により色変換を行う際の色変換テーブルとして決定される（Ｓ５）。
【００５０】
このように、本発明の色再現装置を組み込んだインクジェット記録装置は、搭載されたインク色に対応する色変換テーブルを容易に決定することができる。これによりインクジェット記録装置は、入力された画像データを決定された色変換テーブルを用いて色変換し、色変換した結果得られた画像データに基づいてヘッドに最適なインク色を最適に吐出させることができる。従って、ユーザが任意の色を用いて記録を行っても、予め搭載された色に対応した記録及び測定をすることなく、最適な色再現性を得ることができるインクジェット記録装置を提供することができる。また、本発明のインクジェット記録装置は記録媒体を布とすることが効果を発揮する上で好ましい。本発明の色再現装置は、この他に、テレビ、パソコン、プリンタ、ＦＡＸ、スキャナ等のカラー画像を再現可能なデジタル機器に用いることが可能である。
【図面の簡単な説明】
【００５１】
【図１】本発明のインクジェット記録装置の要部の一例を示すブロック図
【図２】図１の画像制御手段の一例を示す機能ブロック図
【図３】色変換テーブルを決定する際の処理流れの一例を示す図
【図４】色変換テーブルとそれに対応するインク色の組み合わせの一例を示す図
【図５】色変換テーブルの概念を説明するための図
【図６】インク色に対応する色変換テーブルの抽出の一例を示す図
【図７】インク色に対応する色変換テーブルの抽出の他の一例を示す図
【図８】インク色に対応する色変換テーブルの抽出の他の一例を示す図
【図９】インク色に対応する色変換テーブルの抽出の他の一例を示す図
【図１０】インク色に対応する色変換テーブルの抽出の他の一例を示す図
【図１１】インク色に対応する色変換テーブルの抽出の他の一例を示す図
【符号の説明】
【００５２】
１：色変換テーブル
１０ａ〜１０ｆ：インク色毎に抽出した色変換テーブル
１００：画像入力部
２００：画像制御手段
２０１：入力部
２０２：メイン制御部
２０３：主記憶部
２０４：インク色取得処理部
２０５：組み合わせ判断処理部
２０６：選択処理部
２０７：色変換テーブル作成処理部
２０８：色変換テーブル決定処理部
２０９：出力部
３００：ヘッド
４００：インク色取得部
５００：インク供給部
【図１】
2005136752.tif 000003
【図２】
2005136752.tif 000004
【図３】
2005136752.tif 000005
【図４】
2005136752.tif 000006
【図５】
2005136752.tif 000007
【図６】
2005136752.tif 000008
【図７】
2005136752.tif 000009
【図８】
2005136752.tif 000010
【図９】
2005136752.tif 000011
【図１０】
2005136752.tif 000012
【図１１】
2005136752.tif 000013